(57)【要約】【課題】正確な縦緩和時間を算出すること。【解決手段】被検体から放出された信号の所定の時間毎の縦磁化の信号強度の絶対値を算出する絶対値算出部と、信号強度の絶対値から最小値を選択し、最小値が計測された時間以前の絶対値による信号強度を負の値に変換する負数変換部と、他の信号強度の値から最小値が計測された時間に信号強度として推定される値に、最小値と最小値の極性を反転した負の値のうちいずれか近い値を選択し、最小値が正の値であるか負の値であるか判断する判断部と、所定の時間毎の信号強度から、時間の経過とともに回復する信号強度を示す関数を導出する関数導出部と、関数から縦緩和時間を取得する縦緩和時間取得部を備えた。【選択図】        図１
2006149563.tif 000002
【特許請求の範囲】
【請求項１】
反転回復パルスシーケンスを使用してＭＲイメージングを行うＭＲＩ装置において、
反転パルスにより発生したＮＭＲ信号について、該反転パルス送信後から所定の時間経過した縦磁化の信号強度の絶対値で算出する絶対値算出手段と、
前記絶対値算出手段により算出された複数の絶対値による前記信号強度から最小値を選択し、該最小値が計測された時間以前に計測された絶対値による前記信号強度の極性を反転し、負の値を示す負値信号強度に変換する負数変換手段と、
前記最小値が計測された時間以降に計測された絶対値による前記信号強度を示す正値信号強度、前記負数変換手段により変換された前記負値信号強度及びこれらの信号強度が測定された時間により、前記最小値が計測された時間における前記信号強度として推定される値に、前記最小値及び前記最小値の極性を反転した負の値のうちいずれか近い値を選択して、前記最小値が正の値であるか負の値であるか判断する判断手段と、
前記負数変換手段により変換された前記負値信号強度、前記判断手段により正の値であるか負の値であるか判断により極性が設定された前記最小値の前記信号強度、前記正値信号強度及びこれらの前記信号強度が測定された各前記所定の時間から、時間の経過とともに回復する前記信号強度を示す関数を導出し、該関数から縦緩和時間を取得する縦緩和時間取得手段と、
を備えたことを特徴とするＭＲＩ装置。
【請求項２】
前記判断手段は、前記信号強度及び経過時間による２次元座標上において、前記最小値が計測された時間以降に計測された絶対値による前記信号強度を示す前記正値信号強度、及び前記負数変換手段により変換された前記負値信号強度について各前記信号強度が計測された前記所定の時間により定められる各座標による、時間と共に回復していくと推定される前記信号強度を示す線分に、前記最小値が測定された時間について前記最小値による座標及び前記最小値の極性を反転した負の値による座標のうちいずれか近い座標を選択して、前記最小値が正の値であるか負の値であるか判断することを特徴とする請求項１に記載のＭＲＩ装置。
【請求項３】
前記判断手段は、前記２次元座標上において、前記最小値が計測された時間より１つ後に計測された前記正値信号強度を示す座標、及び前記負数変換手段により変換された前記負値信号強度のうち、前記最小値が計測された時間より１つ前に計測された前記負値信号強度を示す座標を結ぶ線分に、前記最小値が測定された時間について前記最小値による座標及び前記最小値の極性を反転した負の値による座標のうちいずれか近い座標を選択して、前記最小値が正の値であるか負の値であるかを判断することを特徴とする請求項２に記載のＭＲＩ装置。
【請求項４】
前記判断手段は、前記２次元座標上において、前記最小値が計測された時間より１つ後に計測された前記正値信号強度を示す最小値後座標、及び前記負数変換手段により変換された前記負値信号強度のうち、前記最小値が計測された時間より１つ前に計測された前記負値信号強度を示す最小値前座標と、前記最小値による座標に囲まれた三角形の面積、及び該最小値前座標、該最小値後座標と前記最小値の極性を反転した負の値による座標に囲まれた三角形の面積を比較し、面積が狭い三角形を選択し、この選択された三角形を構成する前記最小値の極性により、前記最小値が正の値であるか負の値であるかを判断することを特徴とする請求項３に記載のＭＲＩ装置。
【請求項５】
前記絶対値算出手段は、反転パルスにより発生したＮＭＲ信号について、該反転パルス送信後から所定の時間毎に複数の縦磁化の信号強度の絶対値で算出することを特徴とする請求項１〜４のいずれか一つに記載のＭＲＩ装置。
【請求項６】
前記負数変換手段は、前記絶対値算出手段により算出された複数の絶対値による前記信号強度において複数の最小値が存在した場合に計測された時間が最前の最小値を一つ選択し、選択された該最小値が計測された時間以前に計測された絶対値による前記信号強度の極性を反転し、負の値を示す負値信号強度に変換し、
前記判断手段は、複数の絶対値による最小値のうち計測された時間が最後の前記最小値が計測された時間以降に計測された絶対値による前記信号強度を示す正値信号強度、前記負数変換手段により変換された前記負値信号強度及びこれらの信号強度が測定された時間により、前記最小値が計測された時間における前記信号強度として推定される値に、計測された時間が最前の前記最小値及び計測された時間が最前の前記最小値の極性を反転した負の値のうちいずれか近い値を選択して、最前の前記最小値が正の値であるか負の値であるか判断し、
前記縦緩和時間取得手段は、前記負数変換手段により変換された前記負値信号強度、前記判断手段により正の値であるか負の値であるか判断により極性が設定された最前の前記最小値の前記信号強度、前記正値信号強度及びこれらの前記信号強度が測定された各前記所定の時間から、時間の経過とともに回復する前記信号強度を示す関数を導出し、該関数から縦緩和時間を取得することを特徴とする請求項１〜５のいずれか一つに記載のＭＲＩ装置。
【請求項７】
反転回復パルスシーケンスを使用する縦緩和時間測定方法において、
反転パルスにより発生したＮＭＲ信号について、該反転パルス送信後から所定の時間経過した縦磁化の信号強度の絶対値で算出する絶対値算出ステップと、
前記絶対値算出ステップにより算出された複数の絶対値による前記信号強度から最小値を選択し、該最小値が計測された時間以前に計測された絶対値による前記信号強度の極性を反転し、負の値を示す負値信号強度に変換する負数変換ステップと、
前記最小値が計測された時間以降に計測された絶対値による前記信号強度を示す正値信号強度、前記負数変換ステップにより変換された前記負値信号強度及びこれらの信号強度が測定された時間により、前記最小値が計測された時間における前記信号強度として推定される値に、前記最小値及び前記最小値の極性を反転した負の値のうちいずれか近い値を選択して、前記最小値が正の値であるか負の値であるか判断する判断ステップと、
前記負数変換ステップにより変換された前記負値信号強度、前記判断ステップにより正の値であるか負の値であるかの判断により極性が設定された前記最小値の前記信号強度、前記正値信号強度及びこれらの前記信号強度が測定された各前記所定の時間から、時間の経過とともに回復する前記信号強度を示す関数を導出し、該関数から縦緩和時間を取得する縦緩和時間取得ステップと、
を有することを特徴とする縦緩和時間測定方法。
【請求項８】
前記判断ステップは、前記信号強度及び経過時間による２次元座標上において、前記最小値が計測された時間以降に計測された絶対値による前記信号強度を示す前記正値信号強度、及び前記負数変換ステップにより変換された前記負値信号強度について各前記信号強度が計測された前記所定の時間により定められる各座標による、時間と共に回復していくと推定される前記信号強度を示す線分に、前記最小値が測定された時間について前記最小値による座標及び前記最小値の極性を反転した負の値による座標のうちいずれか近い座標を選択して、前記最小値が正の値であるか負の値であるか判断することを特徴とする請求項７に記載の縦緩和時間測定方法。
【請求項９】
前記判断ステップは、前記２次元座標上において、前記最小値が計測された時間より１つ後に計測された前記正値信号強度を示す座標、及び前記負数変換ステップにより変換された前記負値信号強度のうち、前記最小値が計測された時間より１つ前に計測された前記負値信号強度を示す座標を結ぶ線分に、前記最小値が測定された時間について前記最小値による座標及び前記最小値の極性を反転した負の値による座標のうちいずれか近い座標を選択して、前記最小値が正の値であるか負の値であるかを判断することを特徴とする請求項８に記載の縦緩和時間測定方法。
【請求項１０】
前記判断ステップは、前記２次元座標上において、前記最小値が計測された時間より１つ後に計測された前記正値信号強度を示す最小値後座標、及び前記負数変換ステップにより変換された前記負値信号強度のうち、前記最小値が計測された時間より１つ前に計測された前記負値信号強度を示す最小値前座標と、前記最小値による座標に囲まれた三角形の面積、及び該最小値前座標、該最小値後座標と前記最小値の極性を反転した負の値による座標に囲まれた三角形の面積を比較し、面積が狭い三角形を選択し、この選択された三角形を構成する前記最小値の極性により、前記最小値が正の値であるか負の値であるかを判断することを特徴とする請求項９に記載の縦緩和時間測定方法。
【請求項１１】
前記絶対値算出ステップは、反転パルスにより発生したＮＭＲ信号について、該反転パルス送信後から所定の時間毎に複数の縦磁化の信号強度の絶対値で算出することを特徴とする請求項７〜１０のいずれか一つに記載の縦緩和時間測定方法。
【請求項１２】
前記負数変換ステップは、前記絶対値算出ステップにより算出された複数の絶対値による前記信号強度において複数の最小値が存在した場合に計測された時間が最前の最小値を一つ選択し、選択された該最小値が計測された時間以前に計測された絶対値による前記信号強度の極性を反転し、負の値を示す負値信号強度に変換し、
前記判断ステップは、複数の絶対値による最小値のうち計測された時間が最後の前記最小値が計測された時間以降に計測された絶対値による前記信号強度を示す正値信号強度、前記負数変換ステップにより変換された前記負値信号強度及びこれらの信号強度が測定された時間により、前記最小値が計測された時間における前記信号強度として推定される値に、計測された時間が最前の前記最小値及び計測された時間が最前の前記最小値の極性を反転した負の値のうちいずれか近い値を選択して、最前の前記最小値が正の値であるか負の値であるか判断し、
前記縦緩和時間取得ステップは、前記負数変換ステップにより変換された前記負値信号強度、前記判断ステップにより正の値であるか負の値であるか判断により極性が設定された最前の前記最小値の前記信号強度、前記正値信号強度及びこれらの前記信号強度が測定された各前記所定の時間から、時間の経過とともに回復する前記信号強度を示す関数を導出し、該関数から縦緩和時間を取得することを特徴とする請求項７〜１１のいずれか一つに記載の縦緩和時間測定方法。
【請求項１３】
請求項７〜１２のいずれか１つに記載された方法をコンピュータで実行させることを特徴とするプログラム。
【発明の詳細な説明】
【技術分野】
【０００１】
本発明は、ＭＲＩ装置、縦緩和時間測定方法および縦緩和時間測定方法をコンピュータ上で実行させるプログラムに関するものであり、特に縦緩和時間を正確に測定する技術に関するものである。
【背景技術】
【０００２】
従来、ＭＲＩ(Magnetic Resonance Imaging)装置に用いられる反転回復(Inversion Recovery)法は、フリップ角が１８０度のＲＦ（ラジオ波）信号を用いて行う手法である。この反転回復法は、フリップ角が１８０度のＲＦ信号を用いることで、例えばスピンエコー法のようにフリップ角が９０度のＲＦ信号を用いた場合と比べて、縦緩和時間が長くなることで、より多くの測定時間のNMR信号が検出できるため精度が高くなるという長所を有する。
【０００３】
この反転回復法による反転回復過程を表示する方法として、位相再構成と絶対値再構成の二種類の方法がある。この位相再構成は、位相の変化を検出し、その情報を元に画像の再構成を行い、そのままマイナスの値を画像値として出力する。この位相再構成は、位相の変化に非常に敏感であり、特に位相変化の激しいところにはその検出が行えない場合が多く、縦緩和時間等のパラメータを正確に導出するのは困難である。
【０００４】
これに対し絶対値再構成は、コイルのｘチャンネルとｙチャンネルを同時に使ってｒｍｓ（根自乗平均,root mean square）を計算するため、常に正となる信号強度の絶対値を得る。得られた回復曲線は、実際には負の値をとる領域においては元の曲線の鏡面像であり、時間軸に対して線対称となる。この絶対値再構成では位相再構成より信号雑音比が向上するため、位相再構成の場合より正確な縦緩和時間等のパラメータを導出するのが容易となる。
【０００５】
この絶対値再構成において、縦緩和時間を算出するには２つの方法がある。１つは、信号強度の絶対値を用いてそのまま算出する方法である。他の１つは、実際は負数となるはずの絶対値の領域を、再度負数に戻してから算出する方法である。前に示した方法では、絶対値として算出されるため正数か負数か不明である値が存在するという問題がある。現在は、非特許文献１に示されるように絶対値を用いてそのまま算出する方法が主流である。
【０００６】
【非特許文献１】"Analysis of the Look-Locker T1 Mapping sequence in dynamic contrast uptake studies: simulation and in vivovalidation."，MRI Vol.18, P947-954, ２０００年
【発明の開示】
【発明が解決しようとする課題】
【０００７】
しかしながら、信号強度の絶対値を用いてそのまま算出する方法においては、非線形回帰計算するため二つの領域に分けて計算を行うこととなり、本来は負の値であった信号強度も正数である絶対値として算出するため、縦緩和時間等のパラメータの精度が下がるという問題がある。
【０００８】
本発明は、上記に鑑みてなされたものであって、絶対値による縦磁化の信号強度のうち、実際は負の値となる信号強度を戻してから算出する方法で、正確な縦緩和時間を算出することが可能となるＭＲＩ装置、縦緩和時間測定方法および縦緩和時間測定方法をコンピュータ上で実行させるプログラムを提供することを目的とする。
【課題を解決するための手段】
【０００９】
上述した課題を解決し、目的を達成するために、第１の観点にかかる発明は、反転回復パルスシーケンスを使用してＭＲイメージングを行うＭＲＩ装置において、反転パルスにより発生したＮＭＲ信号について、該反転パルス送信後から所定の時間経過した縦磁化の信号強度の絶対値で算出する絶対値算出手段と、前記絶対値算出手段により算出された複数の絶対値による前記信号強度から最小値を選択し、該最小値が計測された時間以前に計測された絶対値による前記信号強度の極性を反転し、負の値を示す負値信号強度に変換する負数変換手段と、前記最小値が計測された時間以降に計測された絶対値による前記信号強度を示す正値信号強度、前記負数変換手段により変換された前記負値信号強度及びこれらの信号強度が測定された時間により、前記最小値が計測された時間における前記信号強度として推定される値に、前記最小値及び前記最小値の極性を反転した負の値のうちいずれか近い値を選択して、前記最小値が正の値であるか負の値であるか判断する判断手段と、前記負数変換手段により変換された前記負値信号強度、前記判断手段により正の値であるか負の値であるか判断により極性が設定された前記最小値の前記信号強度、前記正値信号強度及びこれらの前記信号強度が測定された各前記所定の時間から、時間の経過とともに回復する前記信号強度を示す関数を導出し、該関数から縦緩和時間を取得する縦緩和時間取得手段と、を備えたことを特徴とする。
【００１０】
また、第１の観点にかかる発明によれば、縦磁化の信号強度の絶対値の最小値が正の値であるか負の値であるか判断し、極性が判断された最小値を使用して回復曲線を示す関数を導出するため、より正確な関数を導出することが可能となり、より正確な縦緩和時間を取得することが可能という効果を奏す。
【００１１】
また、第２の観点にかかる発明は、第１の観点にかかる発明において、前記判断手段は、前記信号強度及び経過時間による２次元座標上において、前記最小値が計測された時間以降に計測された絶対値による前記信号強度を示す前記正値信号強度、及び前記負数変換手段により変換された前記負値信号強度について各前記信号強度が計測された前記所定の時間により定められる各座標による、時間と共に回復していくと推定される前記信号強度を示す線分に、前記最小値が測定された時間について前記最小値による座標及び前記最小値の極性を反転した負の値による座標のうちいずれか近い座標を選択して、前記最小値が正の値であるか負の値であるか判断することを特徴とする。
【００１２】
また、第２の観点にかかる発明によれば、時間と共に回復していくと推定される信号強度を示す線分に、最小値が測定された時間について正の値による座標及び負の値による座標のうちいずれか近い座標を選択することで最小値が正の値であるか負の値であるか判断し、極性が判断された最小値を使用して時間の経過とともに回復する信号強度を示す関数を導出し、この関数から縦緩和時間を取得することで、より正確な縦緩和時間を取得することが可能という効果を奏す。
【００１３】
また、第３の観点にかかる発明は、第２の観点にかかる発明において、前記判断手段は、前記２次元座標上において、前記最小値が計測された時間より１つ後に計測された前記正値信号強度を示す座標、及び前記負数変換手段により変換された前記負値信号強度のうち、前記最小値が計測された時間より１つ前に計測された前記負値信号強度を示す座標を結ぶ線分に、前記最小値が測定された時間について前記最小値による座標及び前記最小値の極性を反転した負の値による座標のうちいずれか近い座標を選択して、前記最小値が正の値であるか負の値であるかを判断することを特徴とする。
【００１４】
また、第３の観点にかかる発明によれば、最小値が計測された時間より１つ後に計測された信号強度を示す座標、及び最小値が計測された時間より１つ前に計測された負数に変換された信号強度を示す座標を結ぶ線分に、最小値が測定された時間について正数の値による座標及び負数の値による座標のうちいずれか近い座標を選択することで最小値が正の値であるか負の値であるか判断するため、他の複数の座標を用いた場合と比較して、正の値であるか負の値であるかの判断に必要な処理が低減され、処理時間は大幅に節約できるという効果を奏す。
【００１５】
また、第４の観点にかかる発明は、第３の観点にかかる発明において、前記判断手段は、前記２次元座標上において、前記最小値が計測された時間より１つ後に計測された前記正値信号強度を示す最小値後座標、及び前記負数変換手段により変換された前記負値信号強度のうち、前記最小値が計測された時間より１つ前に計測された前記負値信号強度を示す最小値前座標と、前記最小値による座標に囲まれた三角形の面積、及び該最小値前座標、該最小値後座標と前記最小値の極性を反転した負の値による座標に囲まれた三角形の面積を比較し、面積が狭い三角形を選択し、この選択された三角形を構成する前記最小値の極性により、前記最小値が正の値であるか負の値であるかを判断することを特徴とする。
【００１６】
また、第４の観点にかかる発明によれば、三角形の面積を比較して、面積が狭い三角形を選択し、この選択された三角形を構成する前記最小値が正の値であるか負の値であるかにより、前記最小値が正の値であるか負の値であるかを判断するため、面積の比較により最小値が正の値であるか負の値であるか判断することが可能であるため、判断に必要な処理がよりいっそう低減され、処理時間は大幅に節約できるという効果を奏す。
【００１７】
また、第５の観点にかかる発明は、第１〜第４のいずれか一つの観点にかかる発明において、前記絶対値算出手段は、反転パルスにより発生したＮＭＲ信号について、該反転パルス送信後から所定の時間毎に複数の縦磁化の信号強度の絶対値で算出することを特徴とする。
【００１８】
また、第５の観点にかかる発明によれば、所定時間毎に縦磁化の信号強度の絶対値を複数算出することで、時間の経過とともに回復する信号強度を示す関数を高精度に導出することになり、この関数から縦緩和時間を取得することで、より正確な縦緩和時間を取得することが可能という効果を奏す。
【００１９】
また、第６の観点にかかる発明は、第１〜第５のいずれか一つの観点にかかる発明において、前記負数変換手段は、前記絶対値算出手段により算出された複数の絶対値による前記信号強度において複数の最小値が存在した場合に計測された時間が最前の最小値を一つ選択し、選択された該最小値が計測された時間以前に計測された絶対値による前記信号強度の極性を反転し、負の値を示す負値信号強度に変換し、前記判断手段は、複数の絶対値による最小値のうち計測された時間が最後の前記最小値が計測された時間以降に計測された絶対値による前記信号強度を示す正値信号強度、前記負数変換手段により変換された前記負値信号強度及びこれらの信号強度が測定された時間により、前記最小値が計測された時間における前記信号強度として推定される値に、計測された時間が最前の前記最小値及び計測された時間が最前の前記最小値の極性を反転した負の値のうちいずれか近い値を選択して、最前の前記最小値が正の値であるか負の値であるか判断し、前記縦緩和時間取得手段は、前記負数変換手段により変換された前記負値信号強度、前記判断手段により正の値であるか負の値であるか判断により極性が設定された最前の前記最小値の前記信号強度、前記正値信号強度及びこれらの前記信号強度が測定された各前記所定の時間から、時間の経過とともに回復する前記信号強度を示す関数を導出し、該関数から縦緩和時間を取得することを特徴とする。
【００２０】
また、第６の観点にかかる発明によれば、複数の最小値がある場合において、計測時間が最前の最小値について正の値であるか負の値であるか判断し、極性が判断された最小値を使用して回復曲線を示す関数を導出するため、複数の最小値がある場合においても正確な関数を導出することが可能となり、より正確な縦緩和時間を取得することが可能という効果を奏す。
【００２１】
また、第７の観点にかかる発明は、反転回復パルスシーケンスを使用する縦緩和時間測定方法において、反転パルスにより発生したＮＭＲ信号について、該反転パルス送信後から所定の時間経過した縦磁化の信号強度の絶対値で算出する絶対値算出ステップと、前記絶対値算出ステップにより算出された複数の絶対値による前記信号強度から最小値を選択し、該最小値が計測された時間以前に計測された絶対値による前記信号強度の極性を反転し、負の値を示す負値信号強度に変換する負数変換ステップと、前記最小値が計測された時間以降に計測された絶対値による前記信号強度を示す正値信号強度、前記負数変換ステップにより変換された前記負値信号強度及びこれらの信号強度が測定された時間により、前記最小値が計測された時間における前記信号強度として推定される値に、前記最小値及び前記最小値の極性を反転した負の値のうちいずれか近い値を選択して、前記最小値が正の値であるか負の値であるか判断する判断ステップと、前記負数変換ステップにより変換された前記負値信号強度、前記判断ステップにより正の値であるか負の値であるかの判断により極性が設定された前記最小値の前記信号強度、前記正値信号強度及びこれらの前記信号強度が測定された各前記所定の時間から、時間の経過とともに回復する前記信号強度を示す関数を導出し、該関数から縦緩和時間を取得する縦緩和時間取得ステップと、を有することを特徴とする。
【００２２】
また、第７の観点にかかる発明によれば、縦磁化の信号強度の絶対値の最小値が正の値であるか負の値であるか判断し、極性が判断された最小値を使用して回復曲線を示す関数を導出するため、より正確な関数を導出することが可能となり、より正確な縦緩和時間を取得することが可能という効果を奏す。
【００２３】
また、第８の観点にかかる発明は、第７の観点にかかる発明において、前記判断ステップは、前記信号強度及び経過時間による２次元座標上において、前記最小値が計測された時間以降に計測された絶対値による前記信号強度を示す前記正値信号強度、及び前記負数変換ステップにより変換された前記負値信号強度について各前記信号強度が計測された前記所定の時間により定められる各座標による、時間と共に回復していくと推定される前記信号強度を示す線分に、前記最小値が測定された時間について前記最小値による座標及び前記最小値の極性を反転した負の値による座標のうちいずれか近い座標を選択して、前記最小値が正の値であるか負の値であるか判断することを特徴とする。
【００２４】
また、第８の観点にかかる発明によれば、時間と共に回復していくと推定される信号強度を示す線分に、最小値が測定された時間について正の値による座標及び負の値による座標のうちいずれか近い座標を選択することで最小値が正の値であるか負の値であるか判断し、極性が判断された最小値を使用して時間の経過とともに回復する信号強度を示す関数を導出し、この関数から縦緩和時間を取得することで、より正確な縦緩和時間を取得することが可能という効果を奏す。
【００２５】
また、第９の観点にかかる発明は、第８の観点にかかる発明において、前記判断ステップは、前記２次元座標上において、前記最小値が計測された時間より１つ後に計測された前記正値信号強度を示す座標、及び前記負数変換ステップにより変換された前記負値信号強度のうち、前記最小値が計測された時間より１つ前に計測された前記負値信号強度を示す座標を結ぶ線分に、前記最小値が測定された時間について前記最小値による座標及び前記最小値の極性を反転した負の値による座標のうちいずれか近い座標を選択して、前記最小値が正の値であるか負の値であるかを判断することを特徴とする。
【００２６】
また、第９の観点にかかる発明によれば、最小値が計測された時間より１つ後に計測された信号強度を示す座標、及び最小値が計測された時間より１つ前に計測された負数に変換された信号強度を示す座標を結ぶ線分に、最小値が測定された時間について正数の値による座標及び負数の値による座標のうちいずれか近い座標を選択することで最小値が正の値であるか負の値であるか判断するため、他の複数の座標を用いた場合と比較して、正の値であるか負の値であるかの判断に必要な処理が低減され、処理時間は大幅に節約できるという効果を奏す。
【００２７】
また、第１０の観点にかかる発明は、第９の観点にかかる発明において、前記判断ステップは、前記２次元座標上において、前記最小値が計測された時間より１つ後に計測された前記正値信号強度を示す最小値後座標、及び前記負数変換ステップにより変換された前記負値信号強度のうち、前記最小値が計測された時間より１つ前に計測された前記負値信号強度を示す最小値前座標と、前記最小値による座標に囲まれた三角形の面積、及び該最小値前座標、該最小値後座標と前記最小値の極性を反転した負の値による座標に囲まれた三角形の面積を比較し、面積が狭い三角形を選択し、この選択された三角形を構成する前記最小値の極性により、前記最小値が正の値であるか負の値であるかを判断することを特徴とする。
【００２８】
また、第１０の観点にかかる発明によれば、三角形の面積を比較して、三角形を選択し、この選択された三角形を構成する前記最小値が正の値であるか負の値であるかにより、前記最小値が正の値であるか負の値であるかを判断するため、面積の比較により最小値が正の値であるか負の値であるか判断することが可能であるため、判断に必要な処理がよりいっそう低減され、処理時間は大幅に節約できるという効果を奏す。
【００２９】
また、第１１の観点にかかる発明は、第７〜第１０のいずれか一つの観点にかかる発明において、前記絶対値算出ステップは、反転パルスにより発生したＮＭＲ信号について、該反転パルス送信後から所定の時間毎に複数の縦磁化の信号強度の絶対値で算出することを特徴とする。
【００３０】
また、第１１の観点にかかる発明によれば、所定時間毎の縦磁化の信号強度の絶対値を複数算出することで、時間の経過とともに回復する信号強度を示す関数を高精度に導出することになり、この関数から縦緩和時間を取得することで、より正確な縦緩和時間を取得することが可能という効果を奏す。
【００３１】
また、第１２の観点にかかる発明は、第７〜第１１のいずれか一つの観点にかかる発明において、前記負数変換ステップは、前記絶対値算出ステップにより算出された複数の絶対値による前記信号強度において複数の最小値が存在した場合に計測された時間が最前の最小値を一つ選択し、選択された該最小値が計測された時間以前に計測された絶対値による前記信号強度の極性を反転し、負の値を示す負値信号強度に変換し、前記判断ステップは、複数の絶対値による最小値のうち計測された時間が最後の前記最小値が計測された時間以降に計測された絶対値による前記信号強度を示す正値信号強度、前記負数変換ステップにより変換された前記負値信号強度及びこれらの信号強度が測定された時間により、前記最小値が計測された時間における前記信号強度として推定される値に、計測された時間が最前の前記最小値及び計測された時間が最前の前記最小値の極性を反転した負の値のうちいずれか近い値を選択して、最前の前記最小値が正の値であるか負の値であるか判断し、前記縦緩和時間取得ステップは、前記負数変換ステップにより変換された前記負値信号強度、前記判断ステップにより正の値であるか負の値であるか判断により極性が設定された最前の前記最小値の前記信号強度、前記正値信号強度及びこれらの前記信号強度が測定された各前記所定の時間から、時間の経過とともに回復する前記信号強度を示す関数を導出し、該関数から縦緩和時間を取得することを特徴とする。
【００３２】
また、第１２の観点にかかる発明によれば、複数の最小値がある場合において、計測時間が最初となる最小値について正の値であるか負の値であるか判断し、極性が判断された最小値を使用して回復曲線を示す関数を導出するため、複数の最小値がある場合においても正確な関数を導出することが可能となり、より正確な縦緩和時間を取得することが可能という効果を奏す。
【００３３】
また、第１３の観点にかかる発明は、第７〜第１２のいずれか一つの観点にかかる発明による方法をコンピュータで実行させることを特徴とする。
【００３４】
また、第１３の観点にかかる発明によれば、第７から第１２のいずれか一つの観点に記載された方法をコンピュータの利用で実現することができ、これら第７から第１２のいずれか一つの観点にかかる発明と同様の効果を奏す。
【発明の効果】
【００３５】
本発明のＭＲＩ装置、縦緩和時間測定方法および縦緩和時間測定方法をコンピュータ上で実行させるプログラムによれば、縦磁化の信号強度の絶対値の最小値が正の値であるか負の値であるか判断し、判断された最小値を使用して回復曲線を示す関数を導出するため、より正確な関数を導出することが可能となり、より正確な縦緩和時間を取得することが可能という効果を奏す。
【発明を実施するための最良の形態】
【００３６】
以下に添付図面を参照して、この発明にかかるＭＲＩ装置、縦緩和時間測定方法および縦緩和時間測定方法をコンピュータ上で実行させるプログラムの最良な実施の形態を詳細に説明する。なお、この実施例によりこの発明が限定されるものではない。
【００３７】
図１は、本発明の実施の形態にかかるＭＲＩ装置１００の構成を示すブロック図である。このＭＲＩ装置１００において、マグネットアセンブリ１は、内部に被検体を挿入する空間部分を有し、この空間部分を取り巻くように勾配磁場を形成する勾配コイル（勾配コイルはＸ軸，Ｙ軸，Ｚ軸の各コイルを備える）１Ｇと、被検体内の原子核のスピンを励起するＲＦ信号を送信する送信コイル１Ｔと、被検体からのＮＭＲ（nuclear magnetic resonance）信号を検出する受信コイル１Ｒと、静磁場を形成する静磁場電源８および静磁場コイル１Ｃから構成される。なお、本実施の形態は静磁場を形成する構成として静磁場電源８および静磁場コイル１Ｃ（超伝導磁石）に制限するものではなく、例えば永久磁石を用いてもよい。
【００３８】
そして勾配コイル１Ｇは勾配コイル駆動回路４に接続され、送信コイル１ＴはＲＦ電力増幅器６に接続され、受信コイル１Ｒは前置増幅器１０に接続されている。
【００３９】
シーケンス記憶回路３は、計算部２からの指示に従い、本実施の形態で用いられるパルスシーケンスであるＦＡＩＲ法の処理手順に基づいて、勾配コイル駆動回路４を操作し、勾配コイル１Ｇにより勾配磁場を形成させると共に、ゲート変調回路５を操作し、ＲＦ発振回路７からの高周波出力信号を所定タイミング・所定包絡線のパルス状信号に変調し、それを励起パルスとしてＲＦ電力増幅器６に加え、ＲＦ電力増幅器６でパワー増幅した後、マグネットアセンブリ１の送信コイル１Ｔに印加し、ＲＦ信号を送信する。
【００４０】
前置増幅器１０は、マグネットアセンブリ１の受信コイル１Ｒで検出された被検体からのＮＭＲ信号を増幅し、位相検波器９に入力する。位相検波器９は、ＲＦ発振回路７の出力を参照信号とし、前置増幅器１０からのＮＭＲ信号を位相検波して、Ａ／Ｄ変換器１１に与える。Ａ／Ｄ変換器１１は、位相検波後のアナログ信号をデジタル信号のＭＲデータに変換して、計算部２に入力する。また、表示装置１２は、ＭＲ画像を表示する。
【００４１】
計算部２は、操作卓１３から入力された情報を受け取りから、Ａ／Ｄ変換器１１からＭＲデータを読み込み、画像再構成処理を行ってＭＲ画像を生成までの全体的な制御を行う。また、計算部２は、磁気共鳴検出処理部１０１と、絶対値算出部１０２と、負数変換部１０３と、判断部１０４と、関数導出部１０５と、縦緩和時間取得部１０６と、画像生成部１０９を備え、接続された回路等を制御することで、被検体の任意の断面上の位置から縦緩和時間等のパラメータを導出し、これらのパラメータに基づいて縦緩和時間画像を生成することを可能とする。
【００４２】
本実施の形態においてはパルスシーケンスとして反転回復法の一種のシーケンスであるＦＡＩＲ（flow-sensitive alternating inversion recovery）法を用いる。ＦＡＩＲ法は、血流描出目的に開発されたシーケンスである。なお、本実施の形態は本発明に用いられるパルスシーケンスをＦＡＩＲ法に制限するものではなく、反転回復法となるシーケンスであれば良い。なお、ＦＡＩＲ法は、「Multi-Slice Perfusion-Based Functional MRI using the FAIR Technique:Comparison of CBF and BOLD effects」NMR IN BIOMEDICINE,VOL.10(1997年)のP191-196に記載された公知の技術である。
【００４３】
また、磁気共鳴検出処理部１０１は、磁場形成処理部１１１と、ＲＦ信号送信処理部１１２と、信号検出処理部１１３から構成され、被検体のスライス面を特定し、パルスシーケンスを実行して、ＮＭＲ信号を受信する。
【００４４】
磁場形成処理部１１１は、Ｘ，Ｙ、Ｚ軸のそれぞれの方向について磁場を勾配させることを可能とし、被検体が配置された空間に時間的及び空間的に均一な磁場を印加した後、Ｚ軸方向に勾配磁場を形成することで、共鳴面を限定して被検体のスライス面を定める。
【００４５】
また磁場形成処理部１１１は、そして後述するＲＦ信号送信処理部１１２によるＲＦ信号の送信直後にＹ軸方向に短時間の磁場の勾配を加え、核磁気共鳴より放出されたNMR信号にＹ座標に比例した位相を変調させ、続いてＸ軸方向にデータ採取時に磁場の勾配を加えることで検出した信号にＸ軸方向に比例した周波数を変調させる。これにより位相と周波数から、検出したNMR信号を発信した位置の特定が可能となる。
【００４６】
ＲＦ信号送信処理部１１２は、本実施の形態では、ＦＡＩＲ法に用いられる処理手順に従い、エコー遅延時間を異ならせる処理を行い、ＲＦ信号送信後から所定の時間毎に後述する信号検出処理部１１３でNMR信号を検出できるような処理を行う。所定の時間毎とは、時間の経過と共に回復する縦磁化の信号強度が得られるように設定し、例えば図２で示すような時間経過による縦磁化の信号強度を示す座標Ｐiが得られる時間とする。
【００４７】
信号検出処理部１１３は、励起した被検体内の原子の核スピンによる核磁気共鳴より放出され、かつ磁場形成処理部１１１により位相と周波数が変調されたＮＭＲ信号を検出する。
【００４８】
図２は、磁気共鳴検出処理部１０１が行うパルスシーケンスの一例を示した図である。本図に示すように、反転回復法を用いた処理手順に従い、まずＲＦ信号送信処理部１１２により送信される１８０度パルスを後述する磁場形成処理部１１１によるスライス選択用傾斜磁場Ｇｚのパルスとともに印加して、所望のスライスについてスピン系を反転させた後、９０度パルスを、そして１８０度パルスを、スライス選択用傾斜磁場Ｇｚのパルスとともに順次加えてエコー信号を発生させる。また、位相エンコード用傾斜磁場Ｇｙ及び読み出し用傾斜磁場Ｇｘは印加しない。このエコー信号をサンプリングし、Ａ／Ｄ変換部１１によりＡ／Ｄ変換されたデータを信号検出処理部１１３が収集して、ＮＭＲ信号を検出する。
【００４９】
図１に戻り、絶対値算出部１０２は、検出されたNMR信号から再構成する際、算出されたフーリエ変換値の絶対値を、縦磁化の信号強度の絶対値とする。このように絶対値再構成を行うことで、位相再構成の場合と比較して信号雑音比を向上させることが可能となる。
【００５０】
図３は、絶対値算出部１０２が、ＲＦ信号送信後から所定時間毎に検出された信号から算出した縦磁化の信号強度の絶対値の変化を示した図である。本図で示すように、Ｚ軸方向の信号強度（Ｍz）の絶対値は時間の経過と共に減少していき、最小値となる点Ｐ6を取った後、時間の経過と共に増加していくことが把握できる。
【００５１】
また、ＲＦ信号送信後からの所定時間毎とは、回復関数を求めるために適した時間毎とし、例えば縦磁化の信号強度の変化が大きい時間においては時間間隔を短くし、縦磁化の信号強度の変化が小さい時間においては時間間隔を大きくすることが考えられる。これにより高精度な回復関数を取得することが可能となる。
【００５２】
また、ＭＲＩ装置１００において、実際は画像再構成を磁化の信号強度をスケーリング化した数値である画像のピクセル値により計算が行われる。これは、磁化の信号強度をそのまま用いると、画像再構成を行う際に、数値（整数、Short型）の範囲を超えることとなり、信号強度のスケーリングを行う必要があるためである。また、画像のピクセル値は相対的に信号強度を示しているものである以上、当然ながら本発明の縦磁化の信号強度に画像のピクセル値も含まれるものとなる。
【００５３】
図１に戻り、負数変換部１０３は、絶対値算出部１０２により算出された信号強度の絶対値から最小値を選択し、最小値が計測された時間以前に計測された絶対値による信号強度の極性を反転し、負の値を示す負値信号強度に変換する。つまり図３において、最小値となる点Ｐ6より前の点となる点Ｐ1から点Ｐ5を負の値による信号強度に変換する。
【００５４】
判断部１０４は、計測された信号強度の絶対値の最小値が正の値であるか負の値であるかを判断する。つまり判断部１０４は、最小値が計測された時間以降に計測された絶対値（正数）による信号強度となる正値信号強度、負数変換部１０３により変換された最小値が計測された時間以前の負値信号強度及びこれらの信号強度が測定された時間から、最小値が計測された時間において信号強度として推定される値に、絶対値（正数）による最小値及び最小値の極性を反転した負の値からいずれか近い値を選択して、最小値が正の値であるか負の値であるか判断する。
【００５５】
図４−１は、点Ｐ1から点Ｐ5の縦磁化の信号強度を負の値に変換した後、最小値Ｐ6の極性を反転しなかった場合の経過時間と共に回復する縦磁化の信号強度を示した図である。一方、図４−２は、点Ｐ1から点Ｐ5の縦磁化の信号強度を負の値に変換した後、最小値Ｐ6の極性を反転して負の値とした場合の経過時間と共に回復する縦磁化の信号強度を示した図である。最小値Ｐ6の極性を反転した負の値をＰ6'とする。判断部１０４は、図４−１及び図４−２で示したＰ6、Ｐ6'のうち、どちらの点が他の点から予想される回復曲線において、最小値が計測された時間での信号強度として推定される値に近いか判断することでＰ6及びＰ6'のどちらが最適な点か判断する。
【００５６】
Ｐ6、Ｐ6'のうち、どちらの点が推定される値に近似しているか判断するために、本実施の形態では、Ｐ5’及びＰ7を直線で結ぶ。この線分Ｐ5’Ｐ7を時間と共に変化する信号強度の推定値を示す線分とする。そして、Ｐ6、Ｐ6'のどちらが線分Ｐ5’Ｐ7に近いか判断し、Ｐ6、Ｐ6'のどちらか近い座標を実際の値として選択する。詳細な手順は以下のように行う。
【００５７】
まず判断部１０４は、最小値Ｐiの１つ前の時間に負の値に変換された負値信号強度を示す座標Ｐi-1’と最小値Ｐiの１つ後の時間に計測された信号強度を示すＰi+1の座標を得る。次に判断部１０４は、Ｐiの座標と、Ｐiの信号強度の極性を反転して負の値に変換した座標Ｐi'の座標を得る。
【００５８】
次に、判断部１０４は、三角形Ｐi-1、Ｐi及びＰi+1の面積Ｓ1と、三角形Ｐi-1、Ｐi'及びＰi+1の面積Ｓ2を算出する。
【００５９】
そして判断部１０４は、面積Ｓ1＜面積Ｓ2であればＰiが適切な値、つまり最小値が正数と判断する。また、判断部１０４は、面積Ｓ1＞面積Ｓ2であればＰi'が適切な値、つまり最小値が負の数と判断する。
【００６０】
また、絶対値による最小値が複数個計測される場合も考えられる。この場合、複数個計測された最小値のうち最前の値により正の値であるか負の値であるか判断する。具体的には、最小値が計測される一つ前に計測され、極性を反転された負の値を取る座標と、最小値が計測された一つ後の値であり、最小値とは異なる値を取る座標の２点に、複数個計測された最小値のうち最初の値について正の値と反転した負の値の各点による２つの三角形の面積求めて上述した処理を行うことで、最小値が正の値であるか負の値であるか判断する。
【００６１】
図５は、縦磁化の信号強度の絶対値の最小値が点Ｐ6の場合において、三角形Ｐ5’、Ｐ6、Ｐ7及びＰ6の極性を反転して負の値をとる点Ｐ6’を用いた三角形Ｐ5’、Ｐ6’、Ｐ7を示した図である。そして三角形Ｐ5’、Ｐ6、Ｐ7面積をＳ1と、三角形Ｐ5’、Ｐ6’、Ｐ7の面積をＳ2とする。本図で示した例では、Ｓ2がＳ1より面積が小さいため、判断部１０４は、Ｓ2を構成するＰ6’を選択し、磁化信号強度の絶対値では最小値となる値は、負の値をとると判断する。また、２つの三角形において線分Ｐ5’Ｐ7が辺として構成されているため、Ｐ6’がＰ6より線分Ｐ5’Ｐ7に近いのは明らかである。この処理手順により絶対値の最小値が正の値であるか負の値であるか判断することが可能となる。
【００６２】
関数導出部１０５は、負数変換部１０３により変換された負の値による負値信号強度、判断部１０４により正の値であるか負の値であるかの判断により極性が設定された絶対値が最小値をとる信号強度、及び正数をとる正値信号強度及びこれらの信号強度が測定された各所定の時間から、時間の経過とともに回復する信号強度を示す関数を導出する。
【００６３】
関数導出部は１０７、求められた磁化の信号強度と信号が計測された時間を用いて、下記に示す数（１）式で示す回復関数について非線形近似法によるフィッティングを行う。なお、Ｍ0がｔ＝０における縦磁化の信号強度そしてＴ１が縦緩和時間を示す。
Ｍz＝Ｍ0（１−２ｅ-t/T1）・・・（１）
非線形近似法に用いられるアルゴリズムは上記の数（１）式で示した回復関数に対してフィッティングできるものであれば、どの様なアルゴリズムを用いても良く、例えばレーベンバーグ・マルカート（Levenberg-Marquardt）法を用いることが考えられる。
【００６４】
縦緩和時間取得部１０６は、関数導出部１０５によりフィッティングされた数（１）式から縦緩和時間Ｔ１を取得する。
【００６５】
画像生成部１０９は、被検体のスライス面内の部位毎の縦緩和時間Ｔ１等のパラメータに基づいて縦緩和時間画像（Ｔ１画像）を生成する。
【００６６】
次に、以上のように構成された本実施の形態にかかるＭＲＩ装置１００における磁場を形成してから画像を生成するまでの処理について説明する。図６は、本実施の形態にかかるＭＲＩ装置１００における上述した処理の手順を示すフローチャートである。
【００６７】
磁場形成処理部１１１は、Ｚ軸方向に勾配磁場を形成することで、共鳴面を限定して被検体のスライス面を特定する（ステップＳ５０１）。そして磁気共鳴検出処理部１０１は、パルスシーケンスを実行し、ＮＭＲ信号を検出する（ステップＳ５０２）。
【００６８】
そして絶対値算出部１０２は、磁気共鳴検出処理部１０１に構成される信号検出処理部１１３により検出されたＮＭＲ信号から再構成する際、フーリエ変換値の絶対値を算出して、縦磁化の信号強度の絶対値とする（ステップＳ５０３）。
【００６９】
そして、磁気共鳴検出処理部１０１は、全てのパルスシーケンスを実行したか否か判断する。測定が全て終了していない場合（ステップＳ５０４）、ステップＳ５０２から再開される。
【００７０】
パルスシーケンスの実行が全て終了した場合、負数変換部１０３が、絶対値算出部１０２により算出された信号強度の絶対値のうち、絶対値算出部１０２により算出された信号強度の絶対値から最小値を選択し、最小値が計測された時間以前に計測された絶対値による信号強度の極性を反転して負の値に変換する（ステップＳ５０５）。
【００７１】
そして、判断部１０４は、計測された信号強度の絶対値の最小値が正の値であるか負の値であるかを判断する（ステップＳ５０６）。そして関数導出部１０５は、負数変換部１０３により変換された負の値による負値信号強度、判断部１０４により正の値であるか負の値であるかの判断により極性が設定された絶対値が最小値をとる信号強度、及び正数をとる正値信号強度及びこれらの信号強度が測定された各所定の時間から、時間の経過とともに回復する信号強度を示す関数を導出する（ステップＳ５０７）。
【００７２】
縦緩和時間取得部１０６は、関数導出部１０５により導出された関数から縦緩和時間を取得する（ステップＳ５０８）。画像生成部１０９は、被検体のスライス面内の部位毎の縦緩和時間Ｔ１等のパラメータに基づいて縦緩和時間画像（Ｔ１画像）を生成する（ステップＳ５０９）。
【００７３】
上述した処理手順により、本実施の形態のＭＲＩ装置１００は、より精度の高い縦緩和時間を取得することが可能となる。これにより精度の高い縦緩和時間画像を生成することが可能となる。
【００７４】
本実施の形態で示された方法により算出された縦緩和時間が従来の方法より理論値に近い値をとることを明らかにする。図７は、従来の方法、本実施の形態の方法及び理論値毎に、白質、灰白質及び脳脊髄液について縦緩和時間の平均値及び分散値を示した図である。従来の方法とは、絶対値再構成において負数に変換せずに二つの領域に分けて縦緩和時間を算出する方法とする。また、理論値は、P.A.Bottomley達が提案した測定方法による理論値とする。
【００７５】
図８は、従来の方法、本実施の形態の方法及び理論値毎に、白質、灰白質について縦緩和時間の平均値をグラフとして示し、最小値から最大値までの分散値を示した図である。この図７及び図８に示されるように、従来の方法と比べて、本実施の形態の方法がより理論値に近いことが分かる。具体的には、灰白質については理論値より値が大きいが従来の方法と理論値の差分より、本実施の形態の方法と理論値の差分の方が小さく正確になったことが分かる。また白質については、灰白質の場合と比べて、よりいっそう従来の方法より本実施の形態の方法が理論値に近いことが分かる。すなわち本実施の形態の方法により正確に各組織の縦緩和時間の特徴を表現することが可能となった。
【００７６】
なお、本実施形態のＭＲＩ装置１００で実行される縦緩和時間測定プログラムは、計算部２を構成するＲＯＭ等に予め組み込まれて提供される。
【００７７】
本実施形態のＭＲＩ装置１００で実行される縦緩和時間測定プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００７８】
さらに、本実施形態のＭＲＩ装置１００で実行される縦緩和時間測定プログラムを、インターネット等のネットワークに接続されたコンピュータ上に格納し、ネットワーク経由でダウンロードさせることにより提供するように構成しても良い。また、本実施形態のＭＲＩ装置１００で実行される縦緩和時間測定プログラムをインターネット等のネットワーク経由で提供または配布するように構成しても良い。
【００７９】
本実施の形態のＭＲＩ装置１００で実行される縦緩和時間測定プログラムは、上述した各部（磁場形成処理部、ＲＦ信号送信処理部、信号検出処理部、絶対値算出部、負数変換部、判断部、関数導出部、縦緩和時間取得部、画像生成部）を含むモジュール構成となっており、実際のハードウェアとしては計算部２が縦緩和時間測定プログラムを読み出して実行することにより上記各部が計算部２に備えられている主記憶装置上にロードされ、磁場形成処理部、ＲＦ信号送信処理部、信号検出処理部、絶対値算出部、負数変換部、判断部、関数導出部、縦緩和時間取得部、画像生成部が主記憶装置上に生成されるようになっている。
【００８０】
本実施の形態にかかるＭＲＩ装置１００においては、上述した構成を備えることで、正確な縦緩和時間を取得することが可能となる。これにより所定のスライス面における正確な縦緩和時間画像を取得することが可能となり、この縦緩和時間画像とＦＡＩＲ法で得られた拡散強調画像から、定量的な脳血流画像を、より正確に算出することが可能になる。また従来の方法のように二つの領域に分けて縦緩和時間を算出する場合と比べて、モデルが単純になり、計算時間を短縮することが可能となる。
【００８１】
また、信号強度の絶対値の最小値が正数であるか負数であるかを、三角形の面積で小さい方を選択することで判断されるため、容易な処理で判断することが可能となる。これによりＭＲＩ装置１００における負荷が低減される。
【産業上の利用可能性】
【００８２】
以上のように、本発明にかかるＭＲＩ装置、縦緩和時間測定方法および縦緩和時間測定方法をコンピュータ上で実行させるプログラムは、反転回復法において縦緩和時間を算出するために有用であり、特に、算出された縦緩和時間による縦緩和時間画像とＦＡＩＲ法による拡散強調画像から、造影剤を用いずに定量的な脳血流画像を取得する技術に適している。
【図面の簡単な説明】
【００８３】
【図１】実施の形態にかかるＭＲＩ装置の構成を示すブロック図である。
【図２】実施の形態にかかるＭＲＩ装置の磁気共鳴検出処理部が行うパルスシーケンスの一例を示した図である。
【図３】実施の形態にかかるＭＲＩ装置の絶対値算出部が、ＲＦ信号送信後から所定時間毎に検出された信号から算出した縦磁化の信号強度の絶対値の変化を示した図である。
【図４−１】実施の形態において点Ｐ1から点Ｐ5の縦磁化の信号強度を負の値に変換した後、最小値Ｐ6の極性を反転しなかった場合の経過時間と共に回復する縦磁化の信号強度を示した図である。
【図４−２】実施の形態において点Ｐ1から点Ｐ5の縦磁化の信号強度を負の値に変換した後、最小値Ｐ6の極性を反転して負の値とした場合の経過時間と共に回復する縦磁化の信号強度を示した図である。
【図５】縦磁化の信号強度の絶対値の最小値が点Ｐ6の場合において、三角形Ｐ5’、Ｐ6、Ｐ7及びＰ6の極性を反転して負の値をとる点Ｐ6’を用いた三角形Ｐ5’、Ｐ6’、Ｐ7を示した図である。
【図６】本実施の形態にかかるＭＲＩ装置における磁場を形成してから画像を生成するまでの処理の手順を示すフローチャートである。
【図７】従来の方法、本実施の形態の方法及び理論値毎に、白質、灰白質及び脳脊髄液について縦緩和時間の平均値及び分散値を示した図である。
【図８】従来の方法、本実施の形態の方法及び理論値毎に、白質、灰白質及び脳脊髄液について縦緩和時間の平均値をグラフとして示し、最小値から最大値までの分散値を示した図である。
【符号の説明】
【００８４】
１  マグネットアセンブリ
１Ｇ  勾配コイル
１Ｔ  送信コイル
１Ｃ  静磁場コイル
１Ｒ  受信コイル
２  計算部
３  シーケンス記憶回路
４  勾配コイル駆動回路
５  ゲート変調回路
６  ＲＦ電力増幅器
７  ＲＦ発振回路
８  静磁場電源
９  位相検波器
１０  前置増幅器
１１  Ａ／Ｄ変換器
１２  表示装置
１３  操作卓
１００  ＭＲＩ装置
１０１  磁場形成処理部
１０２  信号送信処理部
１０３  信号検出処理部
１０４  絶対値算出部
１０５  負数変換部
１０６  判断部
１０７  関数導出部
１０８  縦緩和時間取得部
１０９  画像生成部
【図１】
2006149563.tif 000003
【図２】
2006149563.tif 000004
【図３】
2006149563.tif 000005
【図４−１】
2006149563.tif 000006
【図４−２】
2006149563.tif 000007
【図５】
2006149563.tif 000008
【図６】
2006149563.tif 000009
【図７】
2006149563.tif 000010
【図８】
2006149563.tif 000011